(57)【要約】【課題】  敷設が容易で安価で工期短縮可能な貯水施設、及び／又は、凹部内の土砂等の除去が容易な貯水施設を提供する。【解決手段】  河川地に形成された凹部に長尺の通水体を配置した貯水施設とした。前記通水体が、両端開放の流路を有し、前記流路が川の流れ方向と概略同方向となるように前記通水体を配置するとよい。【選択図】  図２
2018131791.tif 000002
【特許請求の範囲】
【請求項１】
河川地に形成された凹部に長尺の通水体を配置した貯水施設。
【請求項２】
前記通水体が、川の流れ方向と概略同方向の流路を有する請求項１の貯水施設。
【請求項３】
前記通水体の上段に他の前記通水体が配置されており、
上下段の前記通水体が異なる方向で配置されている請求項１又は２の貯水施設。
【請求項４】
前記凹部の下流側にピットを有する請求項１〜３のいずれかの貯水施設。
【請求項５】
前記通水体が、円管、方形管又はＵ字溝部材である請求項１〜４のいずれかの貯水施設。
【発明の詳細な説明】
【技術分野】
【０００１】
本発明は、河川を利用した貯水施設及び堤防構造体に関する。
【背景技術】
【０００２】
農業・工業・家庭用水等のためのダムや貯水施設が全国に建設されたが、天候次第で渇水を生じる状況は未だに解消されていない。よって、ダムや貯水施設の建設需要はなお存在するが、建設コストの問題や貯水・利用に適した建設用地がもはや存在しないことから対策は手詰まりである。
【先行技術文献】
【特許文献】
【０００３】
【特許文献１】特許第３６８９４６４号
【発明の概要】
【発明が解決しようとする課題】
【０００４】
特許文献１は、川底に形成された凹部に空間保持のための骨格構造を配置し、当該骨格構造を被覆材（砂利等）で被覆した貯水施設を開示する。しかし、特許文献１では、ブロック状の骨材（籠状部材）をボルト等で上下左右前後に連結することで骨格構造を形成するため、組み立てに手数が掛かる。また、流水、流石、流木等の作用等で被覆材は流失・破損等し得るし、砂利等の被覆材ではそもそも微細な土砂・ヘドロの侵入を完全には防げない。よって、長期間のうちに凹部に土砂やヘドロが堆積し、貯水容量の減少・取水障害等の問題を引き起こす。
【課題を解決するための手段】
【０００５】
本願には、下記発明が開示される。
＜構成１＞
河川地に形成された凹部に長尺の通水体を配置した貯水施設。
＜構成２＞
前記通水体が、川の流れ方向と概略同方向の流路を有する構成１の貯水施設。
＜構成３＞
前記通水体の上段に他の前記通水体が配置されており、
上下段の前記通水体が異なる方向で配置されている構成１又は２の貯水施設。
＜構成４＞
前記凹部の下流側にピットを有する構成１〜３のいずれかの貯水施設。
＜構成５＞
前記通水体が、円管、方形管又はＵ字溝部材である構成１〜４のいずれかの貯水施設。
【図面の簡単な説明】
【０００６】
【図１】一般的な河川を示す。
【図２】本発明の一実施形態の貯水施設１０及び堤防構造体を示す。（図２は、図３の図２のＡ−Ａ断面である。）
【図３】貯水施設１０を示す。
【図４】通水体３１の例示的な形状を示す。
【図５】通水体３１の形状／配置の例を示す。
【図６】通水体３１の形状／配置の例を示す。
【図７】（ａ）は、籠状部材３２を示し、（ｂ）は、空間保持骨格３３を示す。
【発明を実施するための形態】
【０００７】
図１のように、河川１は、通常、川床２（低水路）と河川敷３（高水敷）を有する。本願では、川床２と河川敷３を併せて「河川地」という。図１の河川１は、河川地５の両側に堤防４を有する。
【０００８】
図２、図３に示すように、貯水施設１０は、凹部２０と通水体集合体３０を有する。
【０００９】
本例では、凹部２０は、河川地５のうちの川床２の部分に形成されている。川の流れ方向をＹで示す。凹部２０は、パワーショベル等を用いて川床２を掘り下げることで形成できる。凹部２０は、自然の窪地でもよい。凹部２０は、上下流方向の長さ＝数十〜数百メートル、幅＝数〜数十メートル、深さ＝１〜５ｍ程度とするのがよい。図３のように、上下流方向に間隔を空けて複数の凹部２０，２０を設けると、漏水等による保水不全に対する安全度が増す。凹部２０，２０を分離するために分断部２１を設けるとよい。
【００１０】
凹部２０の下流側（例えば、下流側端又はその付近）にピット２２を形成するとよい。ピット２２は、土砂等捕集用の溝であり得る。ピット２２は、他の部分よりも水深を深いのがよい。凹部２０の周囲（例えば、凹部２０の底面、側面、ピット２２の底面、側面）に遮水材（例えば、ゴムや塩ビ等の遮水板や遮水シート）２３を設けると、貯留水の地下への流失を防止できる。
【００１１】
集合体３０は、複数の長尺の通水体３１を有する。集合体３０は、凹部２０の空間を保持する骨格として機能し得る。図４に通水体３１の例示的な形状を示す。（ａ）は円筒管であり、（ｂ）は方形管であり、（ｃ）は、溝部材である。通水体３１は、両端の開口３１ａとその間を通る流路Ｘを有するのがよい。例えば、汎用の（若しくは市販の）ヒューム管、ボックスカルバート、Ｕ字溝等を使用すると、コスト節減や工期短縮となる。通水体３１は、コンクリート・鉄骨・鉄筋・鋼鉄等で形成できる。
【００１２】
通水体３１は、凹部２０の幅に応じて多列に配置できる。図２では下段から３列／２列／３列である。通水体３１は、通水体３１の長手方向（流れ方向Ｙ又は川幅方向）に１本だけ配置してもよく、図６のように短い通水体３１を複数並べてもよい。通水体３１は、凹部２０の深さに応じて１段又は多段で配置できる（図５，６は、２段と３段の例を示す）。
【００１３】
図５は、通水体３１の形状／配置の例を示す。（ａ）では、円筒状の通水体３１が積層され、（ｂ）では、四角柱筒状の通水体３１が積層され、（ｃ）では、円筒状の通水体３１が下段に配置され、３つの方形流路を有するブロック形状の通水体３１が上段に配置されている。図６は、最下段と上段が異なる方向で配置された例である。図６の最下段／２段目のように通水体３１を井桁状に組むと安定性が高くなる。図のように概略９０度で組むのが良いが、他の角度も可能である。
【００１４】
集合体３０のうち、少なくとも最下段の通水体３１は、流路Ｘが流れ方向Ｙと概略同方向となるように配置するのがよい。このようにすると、通水体３１と通水体３１の間の空間もＹ方向を向いた流路となる。図３のように通水体３１と凹部２０の上流端及び／又は下流端の間に隙間２４を形成すると流路の流れが良くなる。
【００１５】
なお、２段目よりも上は、通水体３１に代えて、図７（ａ）のような籠状部材３２を図７（ｂ）のように上下前後左右にボルト等を用いて連結した空間保持骨格３３を配置しても構わない（特許文献１参照）。
【００１６】
通水体３１と通水体３１の間の空間に砕石２４を充填するとよい。砕石２４は、通水体３１の固定に寄与し得る。
【００１７】
凹部２０の上部は被覆体４０で覆うとよい。被覆体４０は、水を通過させる一方で土砂やごみなどの通過を抑制するもので、砕石やコンクリート片等で形成できる。ピット２２の上部は被覆体４０を設けない開口部４１とすると、取水や土砂除去に便利である。取水や土砂除去時以外は、土砂侵入阻止のため、開口部４１を金属やコンクリート等の蓋４２で閉じておくとよい。
【００１８】
貯水施設１０では、長尺の通水体３１を配置するだけなので、敷設が容易、安価、及び／又は、工期短縮可能である。汎用の通水体３１を使用すると更に低廉化及び／又は工期短縮可能である。最下段の通水体３１により流れ方向Ｙと概略同方向の流路が形成されるので、凹部２０に侵入した土砂やごみを川下端に集まり易く、土砂等の除去が容易になる。ピット２２を有する場合は土砂等の除去が更に容易になる。取水や土砂除去は、ホースを用いた吸引等で行うことができる。土砂等の除去は、取水前に行ってもよく、定期的に行ってもよい。流路は、凹部２０内のよどみを防ぐことで水の清浄化・腐敗防止等にも寄与し得る。上下段の通水体３１を異なる方向にすると、安定性が高まる。
【００１９】
上記実施形態に記載した貯水施設の構成要素やその寸法、形状、配置、個数、材料、製造方法等は、例示であり、他の態様も可能である。貯水装置は、河川ではなく、湖や沼に設置してもよい。本願における「Ａ、Ｂ、Ｃ及びＤ」等は、「Ａ及びＢ及びＣ及びＤ」等の省略形である。「Ａ及び／又はＢ」は、「Ａ、又は、Ｂ、又は、Ａ及びＢ」の省略形である。
【符号の説明】
【００２０】
１・・・河川
２・・・川床
３・・・河川敷
４・・・堤防
１０・・・貯水施設
２０・・・凹部
２１・・・分断部
２２・・・ピット
２３・・・遮水材
２４・・・隙間
２５・・・砕石
３０・・・集合体
３１・・・通水体
３２・・・籠状部材
３３・・・空間保持骨格
４０・・・被覆体
４１・・・開口部
４２・・・蓋
【図１】
2018131791.tif 000003
【図２】
2018131791.tif 000004
【図３】
2018131791.tif 000005
【図４】
2018131791.tif 000006
【図５】
2018131791.tif 000007
【図６】
2018131791.tif 000008
【図７】
2018131791.tif 000009